(57)【要約】      （修正有）【課題】物品やサービスの製造、作業工程などの属性データを参照する際のファイル容量と、処理時間の低減を図る。【解決手段】物品やサービスの製造或いは作業工程などの属性データを、工程上の時間や工程が施された場所などのデータ要素を、他の属性データとともに格納され、特定の時間や場所という要素を呼び出し上のキーとして、一意的なＩＤを有する識別子と関連付け、識別子を読み取り時に、ＩＤをトリガーとしたＳＱＬ信号をサーバに送り、読取り先或いは読取り先として設定した端末のブラウザに、ＨＴＭＬやＸＭＬなどの表示ファイルを生成し、表示し、属性データには、ＰＯＳ情報や、ＵＲＬ等が含まれ、物品或いはサービスが提供される相手先に対して、サーバから、ＩＤと相手先情報に基づき、必要とされる種類のＰＯＳ情報や、ＵＲＬを、検索、表示する、ことを特徴とするＩＤをトリガーにしたデータ生成による表示を行うためのシステム。【選択図】      図１
2005063317.tif 000002
【特許請求の範囲】
【請求項１】
物品やサービスの製造或いは作業工程などの属性データを、工程上の時間や工程が施された場所など一つ以上のデータ要素を、他の属性データとともに格納され、前記特定の時間や場所という要素を呼び出し上のキーとして、一意的なＩＤを有する半導体などの識別子と関連付け、前記識別子を読み取り時に、前記ＩＤをトリガーとしたＳＱＬ信号をサーバに送り、読取り先或いは読取り先として設定した端末のブラウザに、ＨＴＭＬやＸＭＬなどの表示ファイルを生成し、表示し、
前記属性データには、最低一つ以上の種類のＰＯＳ情報や、ＵＲＬ等が含まれ、前記物品或いはサービスが提供される相手先に対して、前記サーバから、前記ＩＤと相手先情報に基づき、必要とされる種類のＰＯＳ情報や、ＵＲＬを、検索、表示する、
ことを特徴とするＩＤをトリガーにしたデータ生成による表示を行うためのシステム。
【請求項２】
前記表示方法において、前記物品或いはサービスが提供される相手先に対して、前記サーバ上で、前記ＩＤに基づき、前記属性データの一部或いは全ての表示をブラインド化する等、予めプログラムされた編集を行うことを特徴とする請求項１に記載のＩＤをトリガーにしたデータ生成による表示を行うためのシステム。
【請求項３】
前記属性データには、最低一つ以上の同一カテゴリーを有する物品或いはサービスに付与された前記ＩＤによりデータ検索を行った者同士が情報交換等を行う、電子掲示板等のデータ書込みや画像や音声ファイル等の交換等によるデータを含むことを特徴とする請求項１又は２に記載のＩＤをトリガーにしたデータ生成による表示を行うためのシステム。
【請求項４】
前記表示方法において、前記ＩＤ入力者或いは入力機器のＩＤ或いはパスワードのいずれか最低一つ毎に前記属性データがキャッシュ化されているサーバ装置を、優先してアクセスするステップを有することを特徴とする請求項１乃至３の何れかに記載のＩＤをトリガーにしたデータ生成による表示を行うためのシステム。
【請求項５】
前記ＳＱＬデータとは、ＳＱＬの定型を成さずとも同様のデータベース制御を実行可能である事を特徴とする請求項１乃至４の何れかに記載のＩＤをトリガーにしたデータ生成による表示を行うためのシステム。
【請求項６】
前記ＩＤがプログラム処理により、他の固有データに変換され、前記ＩＤの識別方法と異なる識別により同様な処理が可能であることを特徴とする請求項１乃至５の何れかに記載のＩＤをトリガーにしたデータ生成による表示を行うためのシステム。
【発明の詳細な説明】
【技術分野】
【０００１】
本発明は、ＩＤをトリガーにしたデータ生成による表示を行うためのデータベース、及びシステムに関する。
【背景技術】
【０００２】
一般に、経済活動においては、農産物、水産物、これらの加工品、工業製品等の供給者（以下、「生産業者」という。）と、このような物品を仕入れて販売する販売業者又は物品を購入する消費者との間に、物品の適切な仕分け、輸送、保管等に携わる流通業者が介在する。近年、市場に出回る物品の多様性に応じて、この物品に係る物流の専門性が高まっている。例えば、食品を冷凍状態で陸上運輸、空中輸送、一時保管等する場合、この食品は、冷凍コンテナ業者、トラック業者、冷凍庫を所有する倉庫業者といった、それぞれの業務に専門性を有する複数の流通業者の手を経る可能性がある。物品が生産業者から販売業者又は消費者に届くまでに、多くの流通業者の手を経ることが少なくない。
【０００３】
販売業者や消費者にとって、手元に届けられた物品が、彼等の知る生産業者から然るべき流通業者の手を経て供給されたものであるか否かを、物品毎に実際に追跡して確認することは困難であり、現実的ではない。
【０００４】
流通業者の誤配や未納品といったミスを効率的に発見することに関しては、物品に電子タグを貼付して、これに物流情報を記録するシステムが開示されている（例えば、特許文献１参照。）。この開示によれば、物流における上流側事業者が物品情報を記録したタグを貼付した物品を出荷し、下流側事業者がこれを受領する。この時、下流側事業者は、タグの情報を確認後に、受領サインとしての識別コード等をタグに書き込んで、このタグのみを上流側事業者に回送する。これによって、物品が、物流の上流から下流に流れたことが確認できるが、このような確認は、やはり、物品の出荷者と受領者とが二重チェックする手間及び相互の信頼関係によって可能となっている。
【０００５】
一方、商品識別子はバーコードに代表される機器から認識或いはＵＲＬなど手入力により特定のＨＰサイトに辿り付くように誘導するものであり、そこでは、ＨＴＭＬやＸＭＬなどのデータ表示ファイルを先の識別子と関連付けてサーバにデータリソースとして用意するか、リンク用のＵＲＬから、リンク先のサーバに表示ファイルを用意することで、データ表示を行なうが、いずれにしろデータ容量と当該ステップでの処理時間を要する。この為、販売業者や消費者にとって、商品情報を取得するために、特定の端末を用意したり、特定のＨＰサイトから検索するというような自由度が低い状況と言わざるを得ない。即座に商品情報を取得可能で、簡便な機器で表示する方法により商品選択に資するような技術が必要になっている。
【特許文献１】特開２００２−８７５３２号公報
【発明の開示】
【発明が解決しようとする課題】
【０００６】
物品或いはサービスなど無形物の属性データをブラウザ上で参照する場合、ＨＴＭＬやＸＭＬなどのデータ表示ファイルを識別子と関連付け、サーバにリソースとして用意するか、リンク用のＵＲＬを元に、リンク先のサーバに表示ファイルを用意することで、表示ファイルの容量やリンクを経由する時間を要求する。
【０００７】
本発明は、ＩＤをトリガーにしたデータ生成による表示を行うためのシステムを提供することにある。
【課題を解決するための手段】
【０００８】
物品やサービスの製造或いは作業工程などの属性データを、工程上の時間や工程が施された場所など一つ以上のデータ要素を、他の属性データとともに格納され、前記特定の時間や場所という要素を呼び出し上のキーとして、一意的なＩＤを有する半導体などの識別子と関連付け、前記識別子を読み取り時に、前記ＩＤをトリガーとしたＳＱＬ信号をサーバに送り、読取り先或いは読取り先として設定した端末のブラウザに、ＨＴＭＬやＸＭＬなどの表示ファイルを生成し、表示し、前記属性データには、最低一つ以上の種類のＰＯＳ情報や、ＵＲＬ等が含まれ、前記物品或いはサービスが提供される相手先に対して、前記サーバから、前記ＩＤと相手先情報に基づき、必要とされる種類のＰＯＳ情報や、ＵＲＬを、検索、表示する、ことを特徴とするＩＤをトリガーにしたデータ生成による表示を行うためのシステム。
【０００９】
また、かかるＩＤをトリガーにしたデータ生成による表示を行うためのシステムにおいて、前記表示方法において、前記物品或いはサービスが提供される相手先に対して、前記サーバ上で、前記ＩＤに基づき、前記属性データの一部或いは全ての表示をブラインド化する等、予めプログラムされた編集を行うことが好ましい。
【００１０】
また、かかるＩＤをトリガーにしたデータ生成による表示を行うためのシステムにおいて、前記属性データには、最低一つ以上の同一カテゴリーを有する物品或いはサービスに付与された前記ＩＤによりデータ検索を行った者同士が情報交換等を行う、電子掲示板等のデータ書込みや画像や音声ファイル等の交換等によるデータを含むことが好ましい。
【００１１】
また、かかるＩＤをトリガーにしたデータ生成による表示を行うためのシステムにおいて、前記表示方法において、前記ＩＤ入力者或いは入力機器のＩＤ或いはパスワードのいずれか最低一つ毎に前記属性データがキャッシュ化されているサーバ装置を、優先してアクセスするステップを有することが好ましい。
【００１２】
また、かかるＩＤをトリガーにしたデータ生成による表示を行うためのシステムにおいて、前記ＳＱＬデータとは、ＳＱＬの定型を成さずとも同様のデータベース制御を実行可能であることが好ましい。
【００１３】
また、かかるＩＤをトリガーにしたデータ生成による表示を行うためのシステムにおいて、前記ＩＤがプログラム処理により、他の固有データに変換され、前記ＩＤの識別方法と異なる識別により同様な処理が可能であることが好ましい。
【発明の効果】
【００１４】
組み合わせや図表などをサーバ側で前記ＩＤと関連付けて生成する。上記生成商品の識別データや属性データなどを得るために、ＵＲＬから該当するデータベースにリソースとして格納されたＨＴＭＬやＸＭＬなどのファイルを検索し、表示するという要求されるステップと、データ容量を解消する。
【発明を実施するための最良の形態】
【００１５】
物品やサービスの製造或いは作業工程などの属性データが入力された上で、工程上の時間や工程が施された場所など一つ以上のデータ要素を、他の属性データとともに格納される。前記特定の時間や場所という要素を呼び出し上のキーとする。一意的なＩＤを有する半導体などの識別子と前記キーをデータベース上或いは半導体内のメモリーで関連付ける。前記識別子をリーダなどでＩＤのヘッダーや関連付けされたメモリー部分を読み取り時に、前記ＩＤをトリガーとして、データベースに対するＳＱＬ信号と同様に、サーバ読取り先或いは読取り先として設定した、端末のブラウザに、当該読取り先のブラウザの要求通りにＨＴＭＬやＸＭＬなどの表示ファイルを生成する。
【図面の簡単な説明】
【００１６】
【図１】システムのフローダイアグラムを示す図である。
【図２】システムの概要図である。
【図３】情報表示画面の例を示す模式図である。
【図４】データベース内のデータモデルを示す模式図である。
【図１】
2005063317.tif 000003
【図２】
2005063317.tif 000004
【図３】
2005063317.tif 000005
【図４】
2005063317.tif 000006